(57)【要約】【課題】熱伝導性改善部材などの構成要素を追加することなく、対物レンズに対する熱の影響を抑制することができる対物レンズ駆動装置および光ピックアップ装置を提供する。【解決手段】対物レンズ駆動装置５１は、対物レンズ２ａと、対物レンズ２ａを保持してフォーカス方向およびトラッキング方向に移動可能なレンズホルダ１と、レンズホルダ１に取り付けられた少なくとも一つのコイル３ａ，３ｂ，４ａとを備える。対物レンズ２ａは、その周縁部に沿って配置された複数のレンズ接着部１ａ〜１ｄにおいて、レンズホルダ１に接着されている。レンズホルダ１において、少なくとも一つのコイル３ａ，３ｂ，４ａのうち対物レンズ２ａに最も近いコイル４ａと、複数のレンズ接着部１ａ〜１ｄのうち当該コイル４ａに最も近いレンズ接着部１ａ，１ｂとの間に、当該コイル４ａから当該レンズ接着部１ａ，１ｂまでの伝熱経路を迂回させる開口部２３ａが形成されている。【選択図】図１
2014120183.tif 000002
【特許請求の範囲】
【請求項１】
光ディスクに光を集光させる対物レンズと、
前記対物レンズを保持し、前記対物レンズの光軸と平行なフォーカス方向、並びに、光軸および光ディスクのトラックと直交するトラッキング方向に移動可能なレンズホルダと、
前記レンズホルダに取り付けられ、フォーカス方向またはトラッキング方向にレンズホルダを駆動する駆動力を発生するための少なくとも一つのコイルと
を備え、
前記対物レンズは、当該対物レンズの周縁部に沿って配置された複数のレンズ接着部において、前記レンズホルダに接着されており、
前記レンズホルダにおいて、前記少なくとも一つのコイルのうち前記対物レンズに最も近いコイルと、前記複数のレンズ接着部のうち当該コイルに最も近いレンズ接着部との間に、当該コイルから当該レンズ接着部までの伝熱経路を迂回させる開口部が形成されている
ことを特徴とする対物レンズ駆動装置。
【請求項２】
前記開口部は、前記対物レンズに最も近いコイルから、前記複数のレンズ接着部までの伝熱経路の長さが略均等になるように形成されていることを特徴とする請求項１に記載の対物レンズ駆動装置。
【請求項３】
前記レンズホルダは、トラッキング方向および光軸と平行な第１の面を有し、
前記少なくとも一つのコイルは、前記レンズホルダの前記第１の面に取り付けられ、
前記開口部は、前記第１の面に形成されていること
を特徴とする請求項１または２に記載の対物レンズ駆動装置。
【請求項４】
前記開口部は、前記レンズホルダの前記第１の面のトラッキング方向における中央部に配置されていることを特徴とする請求項３に記載の対物レンズ駆動装置。
【請求項５】
前記複数のレンズ接着部は、前記レンズホルダの前記第１の面に沿って配設された２つのレンズ接着部を含み、
前記開口部は、前記第１の面において、前記２つのレンズ接着部を結ぶ長さを有していることを特徴とする請求項３または４に記載の対物レンズ駆動装置。
【請求項６】
前記複数のレンズ接着部は、４つのレンズ接着部であり、トラッキング方向と平行な辺を有する四角形の４つの角に対応する位置に形成されていることを特徴とする請求項１から５までのいずれか１項に記載の対物レンズ駆動装置。
【請求項７】
前記対物レンズに最も近いコイルは、トラッキング方向の駆動力を発生するためのトラッキングコイルであることを特徴とする請求項１から６までのいずれか１項に記載の対物レンズ駆動装置。
【請求項８】
前記少なくとも一つのコイルは、さらに、フォーカスコイルを有し、
前記フォーカスコイルは、前記対物レンズから前記フォーカスコイルまでの距離が、前記対物レンズから前記トラッキングコイルまでの距離よりも長くなるように、前記レンズホルダに取り付けられていることを特徴とする請求項７に記載の対物レンズ駆動装置。
【請求項９】
２つの前記対物レンズが、前記レンズホルダに、フォーカス方向およびトラッキング方向に直交するタンジェンシャル方向に並んで配置され、
前記レンズホルダは、いずれもトラッキング方向および光軸と平行な２つの面を有し、
前記レンズホルダの前記２つの面のそれぞれに、前記少なくとも一つのコイルが取り付けられ、
前記レンズホルダの前記２つの面のそれぞれに、前記開口部が形成されていること
を特徴とする請求項１から８までのいずれか１項に記載の対物レンズ駆動装置。
【請求項１０】
ベースと、
前記ベースに取り付けられ、前記レンズホルダを移動可能に保持する保持手段と、
前記コイルと対向するように、前記ベースに取り付けられたマグネットと
をさらに備えたことを特徴とする請求項１から９までのいずれか１項に記載の対物レンズ駆動装置。
【請求項１１】
請求項１から１０までのいずれか１項に記載の対物レンズ駆動装置と、
前記光ディスクを保持して回転させるターンテーブルと、
前記対物レンズ駆動装置を、前記光ディスクの情報面に沿って移動させる移動機構と
を備えたことを特徴とする光ディスク装置。
【発明の詳細な説明】
【技術分野】
【０００１】
本発明は、対物レンズを駆動する対物レンズ駆動装置、および、対物レンズ駆動装置を備えた光ディスク装置に関する。
【背景技術】
【０００２】
対物レンズを用いて光ディスクの情報面に光スポットを形成し、光学的に情報を記録または再生する光ディスク装置は、対物レンズをディスクの面振れや偏芯に追従させるサーボ制御を行うため、対物レンズ駆動装置を備えている。
【０００３】
近年、対物レンズ駆動装置の可動部の基体をなすレンズホルダに、異なる種類の光ディスクに対応する２つの対物レンズを搭載したものが開発されている。
【０００４】
対物レンズは、その周縁部（外周部）の複数の箇所で、レンズホルダの上面（光ディスク側の面）に接着されるのが一般的である。また、レンズホルダの外周面には、トラッキング方向またはフォーカス方向にレンズホルダを駆動するためのコイルが装着される。
【０００５】
このように構成された対物レンズ駆動装置では、コイルから対物レンズの各接着箇所までの距離が均等でないため、コイルで発生した熱による温度上昇が、接着箇所によって異なる。そのため、ディスク回転数が９０００ｒｐｍとなるような高速での記録・再生時には、対物レンズ内に大きな温度勾配が生じ、不均一に熱膨張する。その結果、対物レンズによって集光される光ディスク上の光スポットに、収差が発生する。
【０００６】
そこで、レンズホルダに金属製の熱伝導性改善部材を装着し、コイルで発生した熱を、熱伝導性改善部材を介して発散させる技術が提案されている（例えば、特許文献１参照）。
【先行技術文献】
【特許文献】
【０００７】
【特許文献１】特開２００７−２３４２０５号公報（段落００６３〜００６４および図１参照）
【発明の概要】
【発明が解決しようとする課題】
【０００８】
しかしながら、レンズホルダに金属製の熱伝導性改善部材を装着すると、可動部の質量が増加する。そのため、対物レンズをディスクの面振れや偏芯に追従させるサーボ制御時には、熱伝導性改善部材を装着していない場合より大きな駆動力が必要になり、そのための駆動電流も増加する。すなわち、熱伝導性改善部材を装着することで熱を発散させる効果が得られる一方、コイルの発熱量も増加するため、収差を抑制する効果を十分に得ることができない。また、熱伝導性改善部材という別部品を追加することにより、製造コストも上昇する。
【０００９】
この発明は、上記のような課題を解決するためになされたもので、熱伝導性改善部材などの構成要素を追加することなく、対物レンズに対する熱の影響を抑制することができる対物レンズ駆動装置および光ディスク装置を提供することを目的とする。
【課題を解決するための手段】
【００１０】
この発明に係る対物レンズ駆動装置は、光ディスクに光を集光させる対物レンズと、対物レンズを保持し、対物レンズの光軸と平行なフォーカス方向、並びに、光軸および光ディスクのトラックと直交するトラッキング方向に移動可能なレンズホルダと、レンズホルダに取り付けられ、フォーカス方向またはトラッキング方向にレンズホルダを駆動する駆動力を発生するための少なくとも一つのコイルとを備える。対物レンズは、対物レンズの周縁部の複数のレンズ接着部において、レンズホルダに接着されている。レンズホルダにおいて、少なくとも一つのコイルのうち対物レンズに最も近いコイルと、複数のレンズ接着部のうち当該コイルに最も近いレンズ接着部との間に、当該コイルから当該レンズ接着部までの伝熱経路を迂回させる開口部が形成されている。
【発明の効果】
【００１１】
この発明によれば、レンズホルダに形成された開口部により、対物レンズに最も近いコイルから、各レンズ固定部までの伝熱距離の差を小さくすることができる。すなわち、コイルの発熱時において、各レンズ固定部の温度上昇の差を小さくすることができ、対物レンズ内に大きな温度勾配が生じることを抑制することができる。その結果、熱伝導性改善部材などの構成要素を追加することなく、対物レンズに対する熱の影響を抑制し、これにより光ディスク上の光スポットにおける収差の発生を抑制することができる。
【図面の簡単な説明】
【００１２】
【図１】本発明の実施の形態１における対物レンズ駆動装置の可動部を上方から見た分解斜視図である。
【図２】本発明の実施の形態１における対物レンズ駆動装置の可動部を上方から見た斜視図である。
【図３】本発明の実施の形態１における対物レンズ駆動装置の可動部を下方から見た斜視図である。
【図４】本発明の実施の形態１における対物レンズ駆動装置を上方から見た斜視図である。
【図５】本発明の実施の形態１における対物レンズ駆動装置を下方から見た斜視図である。
【図６】本発明の実施の形態１における対物レンズ駆動装置を組み込んだ光ピックアップ装置を備えたディスク装置の基本構成を示す図である。
【図７】開口部が形成されていないレンズホルダを組み込んだ参考例の対物レンズ駆動装置の可動部を示す斜視図である。
【発明を実施するための形態】
【００１３】
以下、この発明の実施の形態について、図面を参照して説明する。
【００１４】
実施の形態１．
図１は、本発明の実施の形態１における対物レンズ駆動装置５１の可動部１０を上方（すなわち光ディスク側）から見た分解斜視図である。図２は、対物レンズ駆動装置５１の可動部１０を上方から見た斜視図である。図３は、対物レンズ駆動装置５１の可動部１０を下方（すなわち光ディスクと反対の側）から見た斜視図である。図４は、対物レンズ駆動装置５１を上方から見た斜視図である。図５は、対物レンズ駆動装置５１を下方から見た斜視図である。
【００１５】
なお、全ての図において、説明の便宜上、対物レンズの光軸に平行な方向、すなわちフォーカス方向をＺ方向とする。なお、対物レンズの光軸に平行な方向は、後述する図６に示す光ディスクＤの情報面に直交する方向である。また、Ｚ方向に直交する面（ＸＹ面）において、光ディスクのトラックを横切る方向、すなわちトラッキング方向をＹ方向とする。また、Ｙ方向とＺ方向の両方に直交する方向、すなわちタンジェンシャル方向をＸ方向とする。
【００１６】
＜対物レンズ駆動装置の可動部の構成＞
まず、図１〜図３を参照して、本実施の形態における対物レンズ駆動装置５１の可動部１０の構成を説明する。対物レンズ駆動装置５１の可動部１０は、可動部１０の基体をなすレンズホルダ１と、対物レンズ２ａ，２ｂと、フォーカスコイル３ａ，３ｂ，３ｃ，３ｄと、トラッキングコイル４ａ，４ｂとを備えている。
【００１７】
レンズホルダ１は、略直方体形状を有している。具体的には、レンズホルダ１は、光ディスクに対向する上面１ｓを有している。レンズホルダ１は、また、−Ｘ方向を向く第１面１０１と、＋Ｘ方向を向く第２面１０２と、＋Ｙ方向を向く第３面１０３と、−Ｙ方向を向く第４面１０４とからなる外周面を有している。レンズホルダ１の下側（−Ｚ側）は、図３に示すように開放されている。第１面１０１および第２面１０２は、ＹＺ面に平行である。第３面１０３および第４面１０４は、ＸＺ面に平行である。
【００１８】
レンズホルダ１の上面１ｓには、対物レンズ２ａ，２ｂが接着により固定される。対物レンズ２ａ，２ｂは、レーザ光を光ディスクＤ（図６）の情報面に集光させるものである。対物レンズ２ａは、例えば、ＢＤ（Ｂｌｕ−Ｒａｙ  Ｄｉｓｃ）用の対物レンズである。対物レンズ２ｂは、例えば、ＤＶＤ（Ｄｉｇｉｔａｌ  Ｖｅｒｓａｔｉｌｅ  Ｄｉｓｃ）／ＣＤ（Ｃｏｍｐａｃｔ  Ｄｉｓｃ）互換対物レンズである。但し、対物レンズ２ａ，２ｂは、このような組み合わせに限定されるものではない。
【００１９】
レンズホルダ１の上面１ｓには、対物レンズ２ａを接着して固定するための複数のレンズ接着部１ａ，１ｂ，１ｃ，１ｄが形成されている。レンズ接着部１ａ，１ｂ，１ｃ，１ｄは、レンズホルダ１の上面１ｓから＋Ｚ方向に突出している。レンズ接着部１ａ，１ｂ，１ｃ，１ｄは、対物レンズ２ａの光軸を中心とする円周方向に一定間隔を開けて配置されている。言い換えると、レンズ接着部１ａ，１ｂ，１ｃ，１ｄは、対物レンズ２ａの周縁部に沿って均等に配置されている。
【００２０】
ここでは、４つのレンズ接着部１ａ，１ｂ，１ｃ，１ｄは、対物レンズ２ａの光軸を中心とする四角形（具体的には、Ｘ方向の２辺とＹ方向の２辺とを有する正方形）の四隅に対応する位置に形成されている。レンズ接着部１ａ，１ｂは、レンズホルダ１の−Ｘ方向の端部に配置されている。レンズ接着部１ｃ，１ｄは、レンズホルダ１のＸ方向における中央域に配置されている。また、レンズ接着部１ｃ，１ｄのうち、レンズ接着部１ｄは、レンズ接着部１ａの＋Ｘ側に配置され、レンズ接着部１ｃは、レンズ接着部１ｂの＋Ｘ側に配置されている。
【００２１】
レンズ接着部１ａ，１ｂ，１ｃ，１ｄは、いずれも、対物レンズ２ａの周縁部に沿うように形成された接着面を有している。レンズ接着部１ａ，１ｂ，１ｃ，１ｄの各接着面には接着剤（例えば、紫外線硬化型接着剤）が塗布され、対物レンズ２ａの周縁部が固定される。また、レンズホルダ１のレンズ接着部１ａ，１ｂ，１ｃ，１ｄに囲まれるように、対物レンズ２ａに入射するレーザ光を通過させるための穴部１ｕが形成されている。
【００２２】
また、レンズホルダ１の上面１ｓにおいて、レンズ接着部１ａ，１ｂ，１ｃ，１ｄの＋Ｘ側には、対物レンズ２ｂを接着するための複数のレンズ接着部１ｅ，１ｆ，１ｇ，１ｈが形成されている。レンズ接着部１ｅ，１ｆ，１ｇ，１ｈは、レンズホルダ１の上面１ｓから＋Ｚ方向に突出している。
【００２３】
ここでは、４つのレンズ接着部１ｅ，１ｆ，１ｇ，１ｈは、対物レンズ２ｂの光軸を中心とする四角形の四隅に対応する位置に形成されている。レンズ接着部１ｅ，１ｆは、レンズホルダ１の＋Ｘ方向の端部に配置されている。レンズ接着部１ｇ，１ｈは、レンズホルダ１のＸ方向における中央域に配置されている。また、レンズ接着部１ｇ，１ｈのうち、レンズ接着部１ｈは、レンズ接着部１ｅの−Ｘ側に配置され、レンズ接着部１ｇは、レンズ接着部１ｆの−Ｘ側に配置されている。
【００２４】
レンズ接着部１ｅ，１ｆ，１ｇ，１ｈは、いずれも、対物レンズ２ｂの周縁部に沿うように形成された接着面を有している。レンズ接着部１ｅ，１ｆ，１ｇ，１ｈの各接着面には接着剤（例えば、紫外線硬化型接着剤）が塗布され、対物レンズ２ｂの周縁部が固定される。また、レンズホルダ１のレンズ接着部１ｅ，１ｆ，１ｇ，１ｈに囲まれるように、対物レンズ２ｂに入射するレーザ光を通過させるための穴部１ｖが形成されている。
【００２５】
なお、レンズ接着部１ａ，１ｂ，１ｃ，１ｄは、それぞれ、第１の接着部、第２の接着部、第３の接着部および第４の接着部とも称する。同様に、レンズ接着部１ｅ，１ｆ，１ｇ，１ｈは、それぞれ、第１の接着部、第２の接着部、第３の接着部および第４の接着部とも称する。
【００２６】
レンズホルダ１の第１面１０１には、フォーカスコイル３ａ，３ｂが接着により固定されている。フォーカスコイル３ａ，３ｂは、いずれもＸ方向を巻軸方向とし、レンズホルダ１の第１面１０１の下端部（−Ｚ方向端部）の近傍に配置されている。また、フォーカスコイル３ａは、レンズホルダ１の第１面１０１の−Ｙ方向端部の近傍に配置され、フォーカスコイル３ｂは、レンズホルダ１の第１面１０１の＋Ｙ方向端部の近傍に配置されている。
【００２７】
レンズホルダ１の第１面１０１には、フォーカスコイル３ａの巻線を内側から保持する一対の突起部１０５と、フォーカスコイル３ｂの巻線を内側から保持する一対の突起部１０６が形成されている。フォーカスコイル３ａ，３ｂは、レンズホルダ１の第１面１０１の突起部１０５，１０６に位置決めされ、接着剤により固定されている。
【００２８】
同様に、レンズホルダ１の第２面１０２には、フォーカスコイル３ｃ，３ｄが取り付けられている。フォーカスコイル３ｃ，３ｄは、いずれもＸ方向を巻軸方向とし、レンズホルダ１の第２面１０２の下端部（−Ｚ方向端部）の近傍に配置されている。また、フォーカスコイル３ｃは、レンズホルダ１の第２面１０２の＋Ｙ方向端部の近傍に配置され、フォーカスコイル３ｄは、レンズホルダ１の第２面１０２の−Ｙ方向端部の近傍に配置されている。
【００２９】
レンズホルダ１の第２面１０２には、フォーカスコイル３ｃの巻線を内側から保持する一対の突起部１０７（図３）と、フォーカスコイル３ｄの巻線を内側から保持する一対の突起部１０８（図３）が形成されている。フォーカスコイル３ｃ，３ｄは、レンズホルダ１の第２面１０２の突起部１０７，１０８に位置決めされ、接着剤により固定されている。
【００３０】
また、レンズホルダ１の第１面１０１には、トラッキングコイル４ａが接着により固定されている。トラッキングコイル４ａは、Ｘ方向を巻軸方向とし、レンズホルダ１の第１面１０１のＹ方向中央部に配置されている。トラッキングコイル４ａは、Ｙ方向においてフォーカスコイル３ａ，３ｂの間に配置され、Ｚ方向においてフォーカスコイル３ａ，３ｂよりも上側（＋Ｚ側）に配置されている。
【００３１】
レンズホルダ１の第１面１０１に、トラッキングコイル４ａの巻線を内側から保持する一対の突起部１０９が形成されている。トラッキングコイル４ａは、レンズホルダ１の第１面１０１の突起部１０９に位置決めされ、接着剤により固定されている。
【００３２】
同様に、レンズホルダ１の第２面１０２には、トラッキングコイル４ｂが接着により固定されている。トラッキングコイル４ｂは、Ｘ方向を巻軸方向とし、レンズホルダ１の第２面１０２のＹ方向中央部に配置されている。トラッキングコイル４ｂは、Ｙ方向においてフォーカスコイル３ｃ，３ｄの間に配置され、Ｚ方向においてフォーカスコイル３ｃ，３ｄよりも上側（＋Ｚ側）に配置されている。
【００３３】
レンズホルダ１の第２面１０２には、トラッキングコイル４ｂの巻線を内側から保持する一対の突起部１１０（図３）が形成されている。トラッキングコイル４ｂは、レンズホルダ１の第２面１０２の突起部１１０に位置決めされ、接着剤により固定されている。
【００３４】
また、レンズホルダ１の第３面１０３のＸ方向の略中央には、複数のワイヤ固定部２１ａ，２１ｂ，２１ｃが突出形成されている。ここでは、３つのワイヤ固定部２１ａ，２１ｂ，２１ｃが、Ｚ方向に一定間隔で配列されている。ワイヤ固定部２１ａ，２１ｂ，２１ｃは、後述するワイヤ５ａ，５ｂ，５ｃ（図４）を貫通して接着剤で固定するための孔部をそれぞれ有している。
【００３５】
レンズホルダ１の第３面１０３において、ワイヤ固定部２１ａ，２１ｂ，２１ｃの−Ｘ方向の延長線上には、ワイヤ接続部２２ａ，２２ｂ，２２ｃが突出形成されている。ワイヤ接続部２２ａ，２２ｂ，２２ｃは、ワイヤ５ａ，５ｂ，５ｃと、フォーカスコイル３ａ，３ｂおよびトラッキングコイル４ａの各端子部とを電気的に接続するものである。図示は省略するが、フォーカスコイル３ａ，３ｂおよびトラッキングコイル４ａの各端子部は、ワイヤ接続部２２ａ，２２ｂ，２２ｃに巻き回されて保持されている。
【００３６】
同様に、レンズホルダ１の第４面１０４のＸ方向の略中央には、複数のワイヤ固定部２１ｄ，２１ｅ，２１ｆ（図３）が突出形成されている。ここでは、３つのワイヤ固定部２１ｄ，２１ｅ，２１ｆが、Ｚ方向に一定間隔で配列されている。ワイヤ固定部２１ｄ，２１ｅ，２１ｆは、後述するワイヤ５ｄ，５ｅ，５ｆ（図５）を貫通して接着剤で固定するための孔部をそれぞれ有している。
【００３７】
レンズホルダ１の第４面１０４において、ワイヤ固定部２１ｄ，２１ｅ，２１ｆの−Ｘ方向の延長線上には、ワイヤ接続部２２ｄ，２２ｅ，２２ｆ（図３）が突出形成されている。ワイヤ接続部２２ｄ，２２ｅ，２２ｆは、ワイヤ５ｄ，５ｅ，５ｆと、フォーカスコイル３ｃ，３ｄおよびトラッキングコイル４ｂの各端子部とを電気的に接続するものである。図示は省略するが、フォーカスコイル３ｃ，３ｄおよびトラッキングコイル４ｂの各端子部は、ワイヤ接続部２２ｄ，２２ｅ，２２ｆに巻き回されて保持されている。
【００３８】
なお、図１に示した例では、レンズ固定部１ａ〜１ｈが配設されたレンズホルダ１のＹ方向中央部と、第３面１０３および第４面１０４との間には、レンズホルダ１を軽量化するための肉抜き部が設けられている。そのため、レンズ固定部１ａ〜１ｈが配設されたレンズホルダ１の中央部のＹ方向両側には、ＸＺ面に平行な壁状部１１１，１１２が形成されている。
【００３９】
また、レンズホルダ１の第１面１０１には、トラッキングコイル４ａとレンズ接着部１ａ，１ｂとの間に開口部２３ａが形成されている。開口部２３ａは、レンズホルダ１の第１面１０１に、レンズ接着部１ａとレンズ接着部１ｂとを結ぶ長さを有して形成され、さらに壁状部１１１，１１２にも達している。
【００４０】
この開口部２３ａは、対物レンズ２ａに最も近いトラッキングコイル４ａからレンズ接着部１ａ，１ｂまでの伝熱経路を迂回させるものである。言い換えると、対物レンズ２ａに最も近いトラッキングコイル４ａからレンズ接着部１ａ，１ｂまで、熱が最短距離で伝わらないようにするものである。
【００４１】
より具体的には、開口部２３ａは、トラッキングコイル４ａからレンズ接着部１ａ，１ｂまでの伝熱距離（図２に符号Ｐ１で示す）と、トラッキングコイル４ａからレンズ接着部１ｃ，１ｄまでの伝熱距離（図２に符号Ｐ２で示す）とを略同じにするものである。言い換えると、開口部２３ａは、トラッキングコイル４ａから各レンズ接着部１ａ，１ｂ，１ｃ，１ｄまでの伝熱距離を略均等にするものである。なお、伝熱距離とは、熱が伝わる距離であり、熱伝導距離とも称する。
【００４２】
同様に、レンズホルダ１の第２面１０２には、トラッキングコイル４ｂとレンズ接着部１ｅ，１ｆとの間に開口部２３ｂが形成されている。開口部２３ｂは、レンズホルダ１の第２面１０２に、レンズ接着部１ｅとレンズ接着部１ｆとを結ぶ長さを有して形成され、さらに壁状部１１１，１１２にも達している。
【００４３】
この開口部２３ｂは、対物レンズ２ｂに最も近いトラッキングコイル４ｂからレンズ接着部１ｅ，１ｆまでの伝熱経路を迂回させるものである。言い換えると、対物レンズ２ｂに最も近いトラッキングコイル４ｂからレンズ接着部１ｅ，１ｆまで、熱が最短距離で伝わらないようにするものである。
【００４４】
より具体的には、開口部２３ｂは、トラッキングコイル４ｂからレンズ接着部１ｅ，１ｆまでの伝熱距離と、トラッキングコイル４ｂからレンズ接着部１ｇ，１ｈまでの伝熱距離とを略同じにするものである。さらに言い換えると、開口部２３ｂは、トラッキングコイル４ｂから各レンズ接着部１ｅ，１ｆ，１ｇ，１ｈまでの伝熱距離を略均等にするものである。
【００４５】
なお、レンズホルダ１は、例えば、液晶ポリマーによって形成されている。液晶ポリマーは、高剛性で減衰能が高い材料であるため、可動部１０の不要な共振を高域側にシフトさせ、共振倍率を低く抑えることができるというメリットがある。
【００４６】
＜対物レンズ駆動装置の構成＞
次に、図４および図５を参照して、対物レンズ駆動装置５１の構成を説明する。レンズホルダ１は、導電性を有する弾性体で構成されたワイヤ５ａ，５ｂ，５ｃ，５ｄ，５ｅ，５ｆ（保持手段）により、ベース９に対して、Ｙ方向およびＺ方向に移動可能に支持されている。ワイヤ５ａ，５ｂ，５ｃは、レンズホルダ１の第３面１０３のワイヤ固定部２１ａ，２１ｂ，２１ｃに固定され、Ｚ方向に一定間隔で保持されている。ワイヤ５ｄ，５ｅ，５ｆは、レンズホルダ１の第４面１０４のワイヤ固定部２１ｄ，２１ｅ，２１ｆに固定され、Ｚ方向に一定間隔で保持されている。
【００４７】
ワイヤ５ａ，５ｂ，５ｃは、レンズホルダ１の第３面１０３に設けられたワイヤ固定部２１ａ，２１ｂ，２１ｃを貫通し、このワイヤ固定部２１ａ，２１ｂ，２１ｃにおいてレンズホルダ１に接着剤で固定されている。また、ワイヤ５ａ，５ｂ，５ｃの各先端は、レンズホルダ１の第３面１０３の−Ｘ方向端部の近傍に設けられたワイヤ接続部２２ａ，２２ｂ，２２ｃで半田により固定され、上述したフォーカスコイル３ａ，３ｂおよびトラッキングコイル４ａの各端子部と電気的に接続されている。
【００４８】
同様に、ワイヤ５ｄ，５ｅ，５ｆは、レンズホルダ１の第４面１０４に設けられたワイヤ固定部２１ｄ，２１ｅ，２１ｆを貫通し、このワイヤ固定部２１ｄ，２１ｅ，２１ｆにおいてレンズホルダ１に接着剤で固定されている。また、ワイヤ５ｄ，５ｅ，５ｆの各先端は、レンズホルダ１の第４面１０４の−Ｘ方向端部の近傍に設けられたワイヤ接続部２２ｄ，２２ｅ，２２ｆで半田により固定され、上述したフォーカスコイル３ｃ，３ｄおよびトラッキングコイル４ｂの各端子部と電気的に接続されている。
【００４９】
ベース９は、磁性材料、例えば板金で形成されている。ベース９には、Ｘ方向に相対する一対の壁部である磁石固定部９ａ，９ｂが形成されている。磁石固定部９ａ，９ｂの間に、レンズホルダ１が配置されている。磁石固定部９ａ，９ｂは、例えば、ベース９の一部をＸＹ平面上からＺ方向に折り曲げることにより形成される。
【００５０】
磁石固定部９ａの＋Ｘ側の面のＹ方向中央部には、トラッキングマグネット７ａが取り付けられている。磁石固定部９ｂの−Ｘ側の面のＹ方向中央部には、トラッキングマグネット７ｂが取り付けられている。トラッキングマグネット７ａ，７ｂは、いずれも磁気吸引力により磁石固定部９ａ，９ｂに固定されている。
【００５１】
また、磁石固定部９ａには、トラッキングマグネット７ａをＹ方向両側から挟むように、フォーカスマグネット８ａ，８ｂが取り付けられている。磁石固定部９ｂには、トラッキングマグネット７ｂをＹ方向両側から挟むように、フォーカスマグネット８ｃ，８ｄが取り付けられている。フォーカスマグネット８ａ，８ｂ，８ｃ，８ｄは、いずれも、磁気吸引力により、磁石固定部９ａ，９ｂに固定されている。
【００５２】
これらトラッキングマグネット７ａ，７ｂ、フォーカスマグネット８ａ，８ｂ，８ｃ，８ｄおよびベース９により、磁気回路が構成されている。
【００５３】
ベース９の磁石固定部９ｂの後方（＋Ｘ方向）には、ワイヤ５ａ〜５ｆを保持するワイヤホルダ１２が取り付けられている。さらに、ワイヤホルダ１２の後方の面には、基板１１（図５）が接着剤により固定されている。上述したワイヤ５ａ〜５ｆのレンズホルダ１に固定されていない側の各端部は、基板１１に設けられた孔部であるワイヤ保持部１１ａ，１１ｂ，１１ｃ，１１ｄ，１１ｅ，１１ｆをそれぞれ貫通し、半田により固定されている。
【００５４】
なお、レンズホルダ１およびこれに搭載された各構成要素からなる可動部１０は、トラッキングマグネット７ａ、フォーカスマグネット８ａ，８ｂ、トラッキングマグネット７ｂ、およびフォーカスマグネット８ｃ，８ｄによって挟まれた位置に、これらのマグネットと０．２ｍｍ程度の隙間を確保した状態で配置されている。
【００５５】
トラッキングマグネット７ａは、Ｙ方向にＮ極とＳ極とを有するように着磁されており、トラッキングコイル４ａに対向している。トラッキングコイル４ａに電流を流すと、トラッキングコイル４ａのＺ方向のコイル部分を流れる電流と、トラッキングマグネット７ａの磁場とにより、Ｙ方向に電磁力が発生する。また、トラッキングマグネット７ｂは、Ｙ方向にＮ極とＳ極とを有するように着磁されており、トラッキングコイル４ｂに対向している。トラッキングコイル４ｂに電流を流すと、各トラッキングコイル４ｂのＺ方向のコイル部分を流れる電流と、トラッキングマグネット７ｂの磁場とにより、Ｙ方向に電磁力が発生する。
【００５６】
フォーカスマグネット８ａ，８ｂは、いずれもＺ方向にＮ極とＳ極とを有するように着磁されており、フォーカスコイル３ａ，３ｂにそれぞれ対向している。フォーカスコイル３ａ，３ｂに電流を流すと、各フォーカスコイル３ａ，３ｂのＹ方向のコイル部分を流れる電流と、フォーカスコイル３ａ，３ｂの磁場とにより、Ｚ方向に電磁力が発生する。フォーカスマグネット８ｃ，８ｄは、Ｚ方向にＮ極とＳ極とを有するように着磁されており、フォーカスコイル３ｃ，３ｄにそれぞれ対向している。フォーカスコイル３ｃ，３ｄに電流を流すと、各フォーカスコイル３ｃ，３ｄのＹ方向のコイル部分を流れる電流と、フォーカスマグネット８ｃ，８ｄの磁場とにより、Ｚ方向に電磁力が発生する。
【００５７】
＜光ピックアップ装置の構成＞
図６は、対物レンズ駆動装置５１が組み込まれた光ピックアップ装置２００を備えたディスク装置の構成を示す図である。図において、ディスク装置は、基体をなすシャーシ２０１と、ＢＤ、ＤＶＤなどの光ディスクＤ（破線で示す）を保持するターンテーブル２０６とを備えている。ターンテーブル２０６は、例えばスピンドルモータ（図示せず）により、Ｚ方向の回転軸を中心として回転する。対物レンズ駆動装置５１が組み込まれた光ピックアップ装置２００は、光ディスクＤに対向するように配置されている。
【００５８】
光ディスク装置は、さらに、光ピックアップ装置２００を光ディスクＤの半径方向に案内するガイドシャフト２０２，２０３と、光ピックアップ装置２００を光ディスクＤの半径方向に移動させるスレッドモータ２０５とを備えている。スレッドモータ２０５の出力軸には、Ｙ方向を軸方向とする送りねじ２０５ａが取り付けられている。光ピックアップ装置２００には、送りねじ２０５ａに螺合する係合部材（雌ねじ部）２０４が形成されている。スレッドモータ２０５が回転すると、送りねじ２０５ａと係合部材２０４との係合により、光ピックアップ装置２００が光ディスクＤの半径方向に直進移動する。
【００５９】
＜光ディスク装置および対物レンズ駆動装置の動作＞
光ディスク装置における記録または再生動作について説明する。図６に示すように、光ディスクＤは、ターンテーブル２０６とクランパ（図示せず）によって挟持され、ターンテーブル２０６と共に回転する。光ピックアップ装置２００は、対物レンズ２ａまたは対物レンズ２ｂを介して、レーザ光を光ディスクＤの情報面に集光して光スポットを形成し、情報の記録または再生を行う。
【００６０】
このとき、まず、光スポットを、光ディスクＤの目標とするトラックに移動させるシーク制御を行う。すなわち、スレッドモータ２０５を駆動して、光ピックアップ装置２００全体を光ディスクＤの半径方向に（例えば内周から外周に向けて）移動させる。
【００６１】
目標とするトラックに到達したのち、光ディスクＤの偏心および面振れに対して光スポットを追従させる（すなわち対物レンズ２ａ，２ｂを追従させる）フォーカスサーボ制御およびトラッキングサーボ制御を行う。
【００６２】
フォーカスサーボ制御およびトラッキングサーボ制御では、図４および図５に示すように、光ディスク装置の電源部からの基板１１に電力が供給され、これによりフォーカスコイル３ａ，３ｂ，３ｃ，３ｄまたはトラッキングコイル４ａ，４ｂに電流が供給され、可動部１０がＺ方向（フォーカス方向）またはＹ方向（トラッキング方向）に移動する。
【００６３】
すなわち、フォーカスサーボ制御では、光ビーム（レーザ光）の焦点位置のずれ状態を示すフォーカスエラー信号に基づき、フォーカスコイル３ａ，３ｂ，３ｃ，３ｄに電流が供給され、レンズホルダ１を含む可動部１０がフォーカス方向（Ｚ方向）に移動する。
【００６４】
より具体的には、基板１１上のワイヤ保持部１１ｂ，１１ｃ，１１ｅ，１１ｆ（図５）に電圧が印加され、ワイヤ５ｂ，５ｃ，５ｅ，５ｆを介してフォーカスコイル３ａ，３ｂ，３ｃ，３ｄに電流が流れる。フォーカスコイル３ａ，３ｂ，３ｃ，３ｄを流れる電流と、フォーカスマグネット８ａ，８ｂ，８ｃ，８ｄの磁場との作用により、フォーカスコイル３ａ，３ｂ，３ｃ，３ｄには、Ｚ方向で且つ同一の向きに電磁力が発生する。この電磁力（駆動力）により、レンズホルダ１を含む可動部１０が、ワイヤ５ａ〜５ｆの弾性力に抗してＺ方向に移動する。
【００６５】
また、トラッキングサーボ制御では、目標トラックと光スポットとの位置ずれを表すトラッキングエラー信号に基づき、トラッキングコイル４ａ，４ｂに電流が供給され、レンズホルダ１を含む可動部１０がトラッキング方向（Ｙ方向）に移動する。
【００６６】
このとき、基板１１上のワイヤ保持部１１ａ，１１ｄ（図５）に電圧が印加され、ワイヤ５ａ，５ｄを介してトラッキングコイル４ａ，４ｂに電流が流れる。トラッキングコイル４ａ，４ｂに流れる電流と、トラッキングマグネット７ａ，７ｂの磁場との作用により、トラッキングコイル４ａ，４ｂには、Ｙ方向で且つ同一の向きに電磁力が発生する。この電磁力（駆動力）により、レンズホルダ１を含む可動部１０が、ワイヤ５ａ〜５ｆの弾性力に抗してＹ方向に移動する。
【００６７】
＜コイルの発熱とその対策＞
ここで、光ディスクＤの回転数を、通常の６０００ｒｐｍから９０００ｒｐｍに高速化した場合に、光ディスクＤの偏芯と面振れに対物レンズ２ａ，２ｂを追従させるのに必要な駆動力（駆動電流）およびコイルの発熱量がどの程度増大するかについて説明する。
【００６８】
対物レンズ２ａ，２ｂを追従させる光ディスクＤの偏芯量と面振れ量は、回転数に関わらず一定であるため、回転数が６０００ｒｐｍの場合と９０００ｒｐｍの場合とで、可動部１０の同一の変位量を得る必要がある。同一の変位量を得るための駆動力は、可動部１０の１次の共振周波数を超えた領域では、周波数の２乗に比例する。一方、可動部１０の１次の共振周波数は、可動部１０の質量とワイヤ５ａ〜５ｆの剛性によって決まり、一般にフォーカス方向およびトラッキング方向共に６０Ｈｚ程度に設計されている。つまり、光ディスクＤの回転数６０００ｒｐｍ（１００Ｈｚ）と９０００ｒｐｍ（１５０Ｈｚ）は、共に可動部１０の１次の共振周波数（６０Ｈｚ）より高い周波数となる。
【００６９】
従って、光ディスクＤの回転数を９０００ｒｐｍに高速化した場合に必要とされる駆動力は、回転数が６０００ｒｐｍの場合の２．２５倍（＝（９０００／６０００）２）になる。従って、可動部１０を駆動するために各コイルに流す電流も、２．２５倍になる。コイルによる発熱量は、駆動電流の２乗に比例する。よって、光ディスクＤの回転数を９０００ｒｐｍ（１５０Ｈｚ）に高速化した場合のコイル発熱量は、回転数が６０００ｒｐｍ（１００Ｈｚ）の場合の約５倍（＝２．２５２）となる。
【００７０】
このように記録または再生を高速で行う場合（すなわち光ディスクＤの回転数を高速化した場合）には、フォーカスコイル３ａ，３ｂ，３ｃ，３ｄやトラッキングコイル４ａ，４ｂに大きな電流を流さなければならず、各コイルが発生する熱（ジュール熱）は大きくなる。特に、本実施の形態ではトラッキングコイル４ａ，４ｂが対物レンズ２ａ，２ｂに対して近い位置に配置されているため、トラッキングコイル４ａ，４ｂで発生した熱は、対物レンズ２ａ，２ｂに熱的な影響を及ぼし易い。
【００７１】
図７に、レンズホルダ１に開口部２３ａ，２３ｂが形成されていないレンズホルダを組み込んだ参考例の対物レンズ駆動装置の可動部を示す。対物レンズ２ａ，２ｂに対する熱影響は、最も近い位置に配置されたコイルの影響を受けやすいため、ここではトラッキングコイル４ａ，４ｂで発生した熱が対物レンズ２ａ，２ｂに与える影響について説明する。なお、本実施の形態の構成では、フォーカスコイル３ａ，３ｂ，３ｃ，３ｄは対物レンズ２ａ，２ｂから離れて配置されているため、対物レンズ２ａ，２ｂに対するフォーカスコイル３ａ，３ｂ，３ｃ，３ｄの熱の影響は、トラッキングコイル４ａ，４ｂの熱の影響と比較して、無視できるレベルである。
【００７２】
図７において、トラッキングコイル４ａに電流が流れたときに発生する熱は、レンズホルダ１に伝達され、レンズ接着部１ａ，１ｂ，１ｃ，１ｄの４箇所から対物レンズ２ａに達する。このとき、トラッキングコイル４ａからレンズ接着部１ａ，１ｂまでの伝熱距離Ｐ１と、トラッキングコイル４ａからレンズ接着部１ｃ，１ｄまでの伝熱距離Ｐ２が異なるため、レンズ接着部１ａ，１ｂとレンズ接着部１ｃ，１ｄとで温度差が生じる。具体的には、よりトラッキングコイル４ａに近いレンズ接着部１ａ，１ｂが、レンズ接着部１ｃ，１ｄよりも高温になる。
【００７３】
レンズ接着部１ａ，１ｂとレンズ接着部１ｃ，１ｄとの温度差は、対物レンズ２ａにＸ方向の温度勾配を生じさせ、対物レンズ２ａを不均一に熱膨張させる。このように対物レンズ２ａが不均一に熱膨張すると、対物レンズ２ａによって光ディスクＤに集光された光スポットに収差を発生させ、記録または再生時の信号品質を大きく劣化させる。
【００７４】
同様に、トラッキングコイル４ｂに電流が流れたときに発生する熱は、レンズホルダ１に伝達され、レンズ接着部１ｅ，１ｆ，１ｇ，１ｈの４箇所から対物レンズ２ｂに達する。このとき、トラッキングコイル４ｂからレンズ接着部１ｅ，１ｆまでの伝熱距離と、トラッキングコイル４ｂからレンズ接着部１ｇ，１ｈまでの伝熱距離が異なるため、レンズ接着部１ｅ，１ｆとレンズ接着部１ｇ，１ｈとで温度差が生じる。この温度差は、対物レンズ２ｂにＸ方向の温度勾配を生じさせ、対物レンズ２ｂを不均一に熱膨張させる。その結果、対物レンズ２ｂによって光ディスクＤに集光された光スポットに収差を発生させ、記録または再生時の信号品質を大きく劣化させる。
【００７５】
これに対し、本実施の形態では、図２に示すように、レンズホルダ１に開口部２３ａを形成したことにより、トラッキングコイル４ａで発生した熱が、迂回した伝熱経路を通って、最も近いレンズ接着部１ａ，１ｂにする。その結果、トラッキングコイル４ａからレンズ接着部１ａ，１ｂまでの伝熱距離Ｐ１と、トラッキングコイル４ａからレンズ接着部１ｃ，１ｄまでの伝熱距離Ｐ２とが略同じになり、レンズ接着部１ａ，１ｂとレンズ接着部１ｃ，１ｄとで温度差が生じにくい。言い換えると、トラッキングコイル４ａから各レンズ接着部１ａ，１ｂ，１ｃ，１ｄまでの伝熱距離が略均等になり、レンズ接着部１ａ，１ｂ，１ｃ，１ｄの温度差が生じにくい。
【００７６】
そのため、対物レンズ２ａに温度勾配が生じにくくなり、対物レンズ２ａを均一に熱膨張させることができる。その結果、対物レンズ２ａにより光ディスクＤに集光される光スポットにおける収差の発生を抑制し、記録または再生時の信号品質の劣化を防止することができる。
【００７７】
同様に、レンズホルダ１に開口部２３ｂを形成したことにより、トラッキングコイル４ｂで発生した熱が、迂回した伝熱経路を通って、最も近いレンズ接着部１ｅ，１ｆに達する。その結果、トラッキングコイル４ｂからレンズ接着部１ｅ，１ｆまでの伝熱距離と、トラッキングコイル４ｂからレンズ接着部１ｇ，１ｈまでの伝熱距離とが略同じになり、レンズ接着部１ｅ，１ｆとレンズ接着部１ｇ，１ｈとで温度差が生じにくい。言い換えると、トラッキングコイル４ｂから各レンズ接着部１ｅ，１ｆ，１ｇ，１ｈまでの伝熱距離が略均等になり、レンズ接着部１ｅ，１ｆ，１ｇ，１ｈの温度差が生じにくい。
【００７８】
そのため、対物レンズ２ｂに温度勾配が生じにくくなり、対物レンズ２ｂを均一に熱膨張させることができる。その結果、対物レンズ２ｂにより光ディスクＤに集光される光スポットにおける収差の発生を抑制し、記録または再生時の信号品質の劣化を防止することができる。
【００７９】
加えて、この実施の形態では、レンズホルダ１に開口部２３ａ，２３ｂを形成したことにより、レンズ接着部１ａ，１ｂ，１ｅ，１ｆの温度を、開口部２３ａ，２３ｂを形成しない場合よりも低くすることができる。すなわち、対物レンズ２ａ，２ｂの温度勾配による不均一な熱膨張を抑制することに加えて、対物レンズ２ａ，２ｂの温度上昇の絶対量も抑制することができる。
【００８０】
なお、本実施の形態では、開口部２３ａ，２３ｂが、トラッキングコイル４ａ，４ｂとレンズ接着部１ａ，１ｂ，１ｅ，１ｆとの間に設けられているが、このような構成に限定されるものではない。すなわち、開口部は、レンズホルダに取り付けられた少なくとも一つのコイルのうち対物レンズに最も近いコイルと、複数のレンズ接着部のうち当該コイルに最も近いレンズ接着部との間に、伝熱経路を迂回させるように形成されていればよい。
【００８１】
また、本実施の形態では、レンズホルダ１に２つの対物レンズ２ａ，２ｂが搭載されているが、このような構成に限定されるものではない。すなわち、対物レンズは１つでもよく、また、３つ以上であってもよい。
【００８２】
また、本実施の形態では、レンズホルダ１を弾性体からなるワイヤ５ａ〜５ｆで支持していたが、このような構成に限定されるものではない。すなわち、例えば、レンズホルダ１を円柱状の支軸により、Ｚ方向に移動可能に、且つＺ方向の軸回りに回動可能に支持する構成も可能である。
【００８３】
また、本実施の形態では、対物レンズ２ａ，２ｂをそれぞれ４つのレンズ接着部１ａ，１ｂ，１ｃ，１ｄ，１ｅ，１ｆ，１ｇ，１ｈで接着しているが、レンズ接着部の数は４つに限らない。但し、各対物レンズを４つのレンズ接着部で接着した場合、レンズの脱落に対する耐性を高めることができるというメリットがある。
【００８４】
以上説明したように、本実施の形態では、レンズホルダ１に取り付けられた各コイルのうち対物レンズ２ａ（２ｂ）に最も近いトラッキングコイル４ａ（４ｂ）と、各レンズ装着部のうち当該トラッキングコイル４ａ（４ｂ）に最も近いレンズ接着部１ａ，１ｂ（１ｅ，１ｆ）との間に、伝熱経路を迂回させる開口部２３ａ（２３ｂ）を形成した。これにより、トラッキングコイル４ａ（４ｂ）からレンズ接着部１ａ，１ｂ，１ｃ，１ｄ（１ｅ，１ｆ，１ｇ，１ｈ）までの伝熱距離の差を小さくすることができる。その結果、レンズ接着部１ａ〜１ｄ（１ｅ〜１ｈ）の温度差を小さくし、対物レンズ２ａ（２ｂ）に温度勾配が生じにくくすることができる。その結果、光ディスクＤ上の光スポットにおける収差の発生を抑制し、記録・再生時の信号品質の劣化を抑制することができる。
【００８５】
特に、従来技術（特許文献１）のように、レンズホルダ１に金属製の熱伝導性改善部材を装着する必要がないため、可動部１０を軽量化することができる。また、可動部１０を軽量化することにより、比較的小さい駆動電流で可動部１０を駆動することができる。また、可動部１０が比較的小さい駆動電流で駆動されるため、対物レンズ駆動装置５１を長期間に亘って使用することができる。
【００８６】
特に、開口部２３ａ（２３ｂ）により、トラッキングコイル４ａ（４ｂ）から各レンズ接着部１ａ〜１ｄ（１ｅ〜１ｈ）までの伝熱距離を略均等にすることで、対物レンズ２ａ（２ｂ）の温度勾配による不均一な熱膨張を抑制し、これにより、光ディスクＤ上の光スポットにおける収差の発生を抑制し、記録・再生時の信号品質の劣化を防止することができる。
【００８７】
また、開口部２３ａ，２３ｂを、レンズホルダ１の第１面１０１と第４面１０４（トラッキング方向および光軸と平行な面）のそれぞれＹ方向中央に取り付けることにより、レンズホルダ１の重量バランスを保つことが容易になる。
【００８８】
また、レンズ接着部１ａ，１ｂ（１ｅ，１ｆ）が、レンズホルダ１の第１面１０１（第２面１０２）に沿って配設され、開口部２３ａ（２３ｂ）が、レンズ接着部１ａ，１ｂ（１ｅ，１ｆ）を結ぶ長さを有して延在しているため、トラッキングコイル４ａ（４ｂ）からの熱がレンズ接着部１ａ，１ｂ（１ｅ，１ｆ）に最短距離で伝わることを防止することができる。これにより、各レンズ接着部１ａ〜１ｄ（１ｅ〜１ｈ）での温度上昇を略均等にすることができる。
【００８９】
また、対物レンズ２ａ（２ａ）を４つのレンズ接着部１ａ〜１ｄ（１ｅ〜１ｆ）でレンズホルダ１に接着することにより、トラッキングコイル４ａ（４ｂ）からの距離を略均等にする構成を実現しやすく、また、対物レンズ２ａ（２ｂ）をそれぞれ４箇所で保持することにより、脱落に対する耐性を高めることができる。
【符号の説明】
【００９０】
１  レンズホルダ、  １ａ，１ｂ，１ｃ，１ｄ  レンズ接着部、  １ｅ，１ｆ，１ｇ，１ｈ  レンズ接着部、  ２ａ，２ｂ  対物レンズ、  ３ａ，３ｂ，３ｃ，３ｄ  フォーカスコイル、  ４ａ，４ｂ  トラッキングコイル、  ５ａ，５ｂ，５ｃ，５ｄ，５ｅ，５ｆ  ワイヤ（保持手段）、  ７ａ，７ｂ  トラッキングマグネット、  ８ａ，８ｂ，８ｃ，８ｄ    フォーカスマグネット、  ９  ベース、  １０  可動部、  １１  基板、  １２  ワイヤホルダ、  ２２ａ，２２ｂ  開口部、  ５１  対物レンズ駆動装置、  １０１  第１面、  １０２  第２面、  １０３  第３面、  １０４  第４面、  ２００  光ピックアップ、  ２０１  シャーシ（基体）、  ２０５  スレッドモータ（移動機構）、  ２０６  ターンテーブル。
【図１】
2014120183.tif 000003
【図２】
2014120183.tif 000004
【図３】
2014120183.tif 000005
【図４】
2014120183.tif 000006
【図５】
2014120183.tif 000007
【図６】
2014120183.tif 000008
【図７】
2014120183.tif 000009